(57)【要約】      （修正有）【課題】炭酸飲料の容器に残っている分又は供される分のいずれにおいても飲料が含有するガスの抜けを最小にする、ＣＯ２導入用のバルブを有する、ガスを含有する液体を供するための装置を提供する。【解決手段】グリップハンドル２を有する本体部１を備え、本体部１から噴射部３が延び、その上部４にトリガが設けられ、トリガはポッド７に接続されたインジェクションバルブ６を作動させ、ポッド７はねじを有する雌継手９に設けられた液体入口穴８と連通し、その下部にブレーキングシャフト１２を備え、ブレーキングシャフト１２はカップ１４の内部に存在する逆止弁１３を垂直方向に摺動し、吸引管１５がカップ１４からボトル内の下側位置へ突き出し、本体部１が、このようなボトルに充填するＣＯ２のシリンダを取り付けるためにレセプタクルバルブ１６を備える。【選択図】図２
0003215825.tif 000002
【実用新案登録請求の範囲】
【請求項１】
ＣＯ２導入用のバルブを有する、ガスを含有する液体を供するための装置であって、
グリップハンドル（２）を有する本体部（１）を備え、前記本体部（１）から噴射部（３）が延び、その上部（４）にトリガ（５）が設けられ、前記トリガ（５）はポッド（７）に接続されたインジェクションバルブ（６）を作動させ、前記ポッド（７）はねじ（１０）を有する雌継手（９）に設けられた液体入口穴（８）と連通し、その下部（１１）にブレーキングシャフト（１２）を備え、前記ブレーキングシャフト（１２）はカップ（１４）の内部に存在する逆止弁（１３）を垂直方向に摺動し、吸引管（１５）が前記カップ（１４）からボトル内の下側位置へ突き出し、前記本体部（１）が、このようなボトルに充填するＣＯ２のシリンダを取り付けるためにレセプタクルバルブ（１６）を備えることを特徴とする、装置
【請求項２】
ガスを含有する飲料の分配ユニットをさらに備え、前記分配ユニットが、
内ねじ及び外ねじを有する、ボトルを密封するための閉鎖部と、
ガスの無駄なしに前記ボトルに取り付けられたときに飲料を出す流量制御器の本体を通して動かされる弁と、
前記閉鎖部に接続される第１の端と、前記飲料を前記閉鎖部へ移動させるための前記ボトル内にある第２の端とを有するチューブと、
を備えることを特徴とする、請求項１に記載の装置。
【請求項３】
前記流量制御器が、飲料をボトルから推進させるための手動ポンプ又はＣＯ２カートリッジを含むことを特徴とする、請求項１に記載の装置。
【考案の詳細な説明】
【技術分野】
【０００１】
本考案は、炭酸飲料の流量の制御、特に、容器に残っている分又は供される分のいずれにおいてもこのような飲料が含有するガスの抜けを低減させる流量制御器を提供するために開発された、ＣＯ２導入用のバルブを有する、ガスを含有する液体を供するための装置に関する。
【背景技術】
【０００２】
ソフトドリンク、水、ビール、乳製品、ジュース、ワインを含む、ガスを含有する飲料の産業は、より良好な容器内ガス保存を提供すること、及びガスを含有する飲料のより良好な使用を提供するべくそれらのガスを長期間保つことを目標とするセグメントである。
【考案の概要】
【考案が解決しようとする課題】
【０００３】
ボトル入り炭酸飲料は、水に溶けこんだ著しい量の二酸化炭素を有し、これらは、すべての炭酸ソフトドリンクの原料のうちの２つである。このようなドリンクが開封されコップに入れられた後の最小の発泡を保証するために大量の二酸化炭素が飲料中に溶解される。容器内の炭酸飲料の分与は、結果的に二酸化炭素の著しい損失を生じ、これは一般に、泡立ちとして顕在化する。
【０００４】
泡立ち及び炭酸の損失は量及び品質に関連し、それらは同じ問題に直接関係しない。
【０００５】
泡立ちは、特に、ドリンクがコップ又は他の容器に供され得る速さを指す。
【０００６】
大量の泡が発生する場合、供される飲料の体積は比較的少なく、このような泡が消えるのにかかる時間に起因して、コップを満たすのにかかる時間が増加する。
【０００７】
炭酸の損失は、供されるドリンクとボトルに残っているドリンクとの両方で生じる。どちらの場合でも、飲料は、その発泡特性を失い、味がほとんどの人々にとってあまり魅力的ではなくなる。
【０００８】
実際に、低減した発泡性は、飲料の香りを減少させ、これは味の損失として解釈される。
【０００９】
何が起こるかに関わらず、飲料産業は、消費者の理解及び知覚に基づいており、これはこのような飲料がその味を失っているということである。
【００１０】
「ＰＥＴ」（ポリエチレンテレフタレート）ボトルの普及により、飲みかけのボトル内の飲料は、元の風味を維持することが極めて重要である。
【００１１】
ボトリング産業は、飲料中に大量の二酸化炭素を溶解する問題を解決する。
【００１２】
ボトルを開封し、ボトルネックを通してドリンクを注ぐことは、その発泡性を２つの方法を用いた装置で減少させる。
【００１３】
ボトルシールを開封する又は取り除くことは、結果的に、輸送中及び貯蔵中に飲料から逃げるＣＯ２消散を生じる。
【００１４】
容器を逆さにして注ぐことは、飲料を攪乱し、供されるドリンクとボトルに残っているドリンクとの両方の中の溶解した二酸化炭素を放出させる。
【００１５】
大量の二酸化炭素量を飲料に溶け込ませた後で、炭酸飲料製造業者は、飲料の最後の量が供されるまでガスの一部が確実に溶存しているようにすることを試みている。
【課題を解決するための手段】
【００１６】
上記のことを念頭において、本考案の１つの目的として、飲料ボトリングプロセスの最小限の修正又は変更でより良好なボトル内ガス保存を提供する装置が本明細書で提供され、これは、ガスを含有する飲料が容器から注ぎ出した後もガスを非常に長時間保つので、ガスを含有する飲料のより良好な使用をもたらし、消費者はコストパフォーマンスが高いと感じ、ガスの不必要な消散及び液体を劣化させる微生物の侵入を回避し、エコロジカルでより効率的であるため環境に貢献する。
【００１７】
本考案の他の目的は、供する装置にしっかりと取り付けられるときに容器のガスを保存することである。
【００１８】
別の目的は、最小限の泡量で大体積の液体を出すことができる炭酸飲料のための流量制御器を有することである。
【００１９】
本考案の他の目的は、結果的に供されたドリンクでのガスの損失が最小となる、炭酸飲料のための流量制御器を提供することである。
【００２０】
別の目的は、最小限の泡量で所定の体積の飲料を迅速に提供する、炭酸飲料のための流量制御器を提供することである。
【００２１】
本考案の他の目的は、既存の容器に付加され得る、炭酸飲料のための流量制御器を提供することである。
【００２２】
別の目的は、容器に取り付けられたときにボトル内で高まった圧力を通じて炭酸飲料を注ぐ、注ぎシステムを提供することである。
【００２３】
本考案の別の目的は、飲料を加圧され炭酸ガスを含有した状態に保つべくボトルの内部にＣＯ２を導入するシステムを提供することである。
【００２４】
別の目的は、炭酸ガスを含有する液体の廃棄の減少を提供することで、消費者により大きな節約をもたらすことである。
【００２５】
別の目的は、二酸化炭素の不必要な消散を減らし、環境を助けることである。
【００２６】
本考案の他の目的は、容器内の液体を加圧することである。
【００２７】
このような開発の十分な理解を得るために、以下の詳細な説明と同じ参照符号が付された図面が添付されている。
【図面の簡単な説明】
【００２８】
【図１】噴射部の断面図である。
【図２】組立体の断面図である。
【図３】組立体の分解図である。
【図４】組立体の斜視図である。
【考案を実施するための形態】
【００２９】
したがって、本願は、ＣＯ２導入用のバルブを有する、ガスを含有する液体を供するための装置であって、
グリップハンドル（２）を有する本体部（１）を備え、本体部（１）から噴射部（３）が延び、その上部（４）にトリガ（５）が設けられ、トリガ（５）はポッド（７）に接続されたインジェクションバルブ（６）を作動させ、ポッド（７）はねじ（１０）を有する雌継手（９）に設けられた液体入口穴（８）と連通し、その下部（１１）にブレーキングシャフト（１２）を備え、ブレーキングシャフト（１２）はカップ（１４）の内部に存在する逆止弁（１３）を垂直方向に摺動し、吸引管（１５）がカップ（１４）からボトル内の下側位置へ突き出し、本体部（１）が、このようなボトルに充填するＣＯ２のシリンダを取り付けるためにレセプタクルバルブ（１６）を備える、装置を提供するために開発されている。
【００３０】
説明及び例示に基づいて、ＣＯ２導入用のバルブを有する、ガスを含有する液体を供するための装置は、最小の泡立ち量で且つ供されたドリンク及びボトルに残っているドリンク中の最大の発泡量で大量の飲料の流れを提供する炭酸飲料のための流量制御器を与えるので、現在市場にあるものに関していくつかの利点をもたらすことが分かる。
【００３１】
流量制御器は、流量制御器を取り付けるための雄ねじ付きの容器閉鎖部に取り付けられるべきであり、ボトリングプロセスにおける唯一の修正は、雄ねじ付きの閉鎖部（９）、逆止弁（１３）、カップ（１４）、及び吸引管（１５）を配置することである。
【００３２】
ねじを有さないガラス容器では、流量制御器の取り付けを可能にする雄ねじ付きの装置（１７）が最初に取り付けられるべきである。
【００３３】
流量制御器はまた、既存の容器に付加され、新しい容器の一部分をなしてもよい。
【００３４】
流量制御器は、ボトルを密封して、ガスの損失を防ぎ、ボトル内の残りの飲料中に最大限の量のガスを保持する。
【００３５】
例えば、流量制御器は、液体をボトルから推進させるための手動ポンプ又はＣＯ２カートリッジを含んでよい。
【００３６】
これは新しく、技術の現状ではそれまで理解されていないので、考案の実用新案で規定される基準に完全に適合する。その請求項は以下のとおりである。
【図１】
0003215825.tif 000003
【図２】
0003215825.tif 000004
【図３】
0003215825.tif 000005
【図４】
0003215825.tif 000006
【手続補正書】
【提出日】平成30年2月7日(2018.2.7)
【手続補正１】
【補正対象書類名】実用新案登録請求の範囲
【補正対象項目名】全文
【補正方法】変更
【補正の内容】
【実用新案登録請求の範囲】
【請求項１】
ＣＯ２導入用のバルブを有する、ガスを含有する液体を供するための装置であって、
グリップハンドル（２）を有する本体部（１）を備え、前記本体部（１）から噴射部（３）が延び、その上部（４）にトリガ（５）が設けられ、前記トリガ（５）はポッド（７）に接続されたインジェクションバルブ（６）を作動させ、前記ポッド（７）はねじ（１０）を有する雌継手（９）に設けられた液体入口穴（８）と連通し、その下部（１１）にブレーキングシャフト（１２）を備え、前記ブレーキングシャフト（１２）はカップ（１４）の内部に存在する逆止弁（１３）を垂直方向に摺動し、吸引管（１５）が前記カップ（１４）からボトル内の下側位置へ突き出し、前記本体部（１）が、このようなボトルに充填するＣＯ２のシリンダを取り付けるためにレセプタクルバルブ（１６）を備えることを特徴とする、装置。
【請求項２】
ガスを含有する飲料の分配ユニットをさらに備え、前記分配ユニットが、
内ねじ及び外ねじを有する、ボトルを密封するための閉鎖部と、
ガスの無駄なしに前記ボトルに取り付けられたときに飲料を出す流量制御器の本体を通して動かされる弁と、
前記閉鎖部に接続される第１の端と、前記飲料を前記閉鎖部へ移動させるための前記ボトル内にある第２の端とを有するチューブと、
を備えることを特徴とする、請求項１に記載の装置。
【請求項３】
前記装置が流量制御器を備え、前記流量制御器が、飲料をボトルから推進させるための手動ポンプ又はＣＯ２カートリッジを含むことを特徴とする、請求項１に記載の装置。